(57)【要約】【課題】騒音がある場所や薄暗い場所で燃油の補給作業を行う場合でも安全且つ確実に補給作業を完了できるカートリッジ式給油タンクを提供する。【解決手段】給油タンク１に補給される燃油量を検知する油量検知部２３と、給油口２の開閉を検知する開閉検知手段１３と、給油タンク１内方に補給される燃油の満量近傍油面を一定範囲にわたって連続的に表示する油量表示部１４とを備えたカートリッジ式給油タンクに於いて、開閉検知手段１３が給油口２の開口を検知した時と、開閉検知手段１３が給油口２の閉口を検知した時と、油量検知部２３が給油タンク１内に補給された燃油が満量になったことを検知した時とで報知状態を変えて報知する発光報知手段１８を設けたので、使用者は給油タンク１の給油口２が開口状態なのか、または閉口状態なのか、あるいは補給された燃油が満量になったのかを容易且つ明確に視認でき安全且つ確実に補給作業を完了できる。【選択図】図７
2008309386.tif 000002
【特許請求の範囲】
【請求項１】
給油タンク本体の上面に設けた給油口と、該給油口を閉塞する給油口キャップと、前記給油タンクに補給される燃油量を検知する油量検知部と、前記給油口の開閉を検知する開閉検知手段と、前記給油タンク内方に補給される燃油の満量近傍油面を一定範囲にわたって連続的に表示する油量表示部とを備えたカートリッジ式給油タンクに於いて、前記開閉検知手段が前記給油口の開口を検知した時と、前記開閉検知手段が前記給油口の閉口を検知した時と、前記油量検知部が前記給油タンク内に補給された燃油が満量になったことを検知した時とで報知状態を変えて報知する発光報知手段を設けたことを特徴とするカートリッジ式給油タンク。
【請求項２】
前記発光報知手段は、前記給油タンクの内部上方で前記油量表示部から目視できる油面を照らせる位置に設けられ、前記給油口開口時には点灯し、前記給油タンク内に補給される燃油が満量になった時には点滅し、前記給油口閉口時には消灯するようにしたことを特徴とする請求項１記載のカートリッジ式給油タンク。
【発明の詳細な説明】
【技術分野】
【０００１】
この発明は、石油ファンヒ−タ−やポ−タブル石油スト−ブ等で使用される燃油を安全且つ確実に補給できるカートリッジ式給油タンクに関するものである。
【背景技術】
【０００２】
従来より、この種のものに於いては、操作ボタンを引っ張ることで係止部の係止を解除して、給油口キャップを有した基部を自動的に起立させるといったワンタッチで給油口を開口させるカートリッジ式給油タンクがあり、給油口キャップを閉じる時には係止部の係止完了を「パチン」という音で報知するものがあった。（例えば、特許文献１参照。）
また、給油タンクへ燃油を補給する際、満量になるとブザーを鳴らして使用者に知らせ、燃油の溢れによって床を汚す等の不具合を防止するものがあった。（例えば、特許文献２参照。）
【特許文献１】特開平８−２８８６０号公報
【特許文献２】特開２００１−１０８２２８号公報
【発明の開示】
【発明が解決しようとする課題】
【０００３】
しかしながら、この従来のものは、給油口キャップによる給油口の閉口を、「パチン」という音で閉口を確認するものであるが、騒音がある場所や高齢者等の耳がきこえにくい人が燃油の補給作業をした場合、給油口を確実に閉口できたかどうか確認できず、係止部の係止が不十分であった場合には、給油タンクを逆転して給油口を下向きにした時、係止部の係止が外れて燃油をこぼす危険性があるものであった。
また、薄暗いところで且つ騒音がある場所や、薄暗いところで高齢者等の耳がきこえにくい人が燃油の補給作業をする場合、給油タンク側面に備えられ燃油の補給量を目視できる油量表示部から油面の高さが見えにくく、満量になったことを知らせるブザー音も聞こえず、燃油を溢れさせる危険性があり、床を汚す等の不具合を有するものであった。
【課題を解決するための手段】
【０００４】
この発明は上記課題を解決するために、特に請求項１ではその構成を、給油タンク本体の上面に設けた給油口と、該給油口を閉塞する給油口キャップと、前記給油タンクに補給される燃油量を検知する油量検知部と、前記給油口の開閉を検知する開閉検知手段と、前記給油タンク内方に補給される燃油の満量近傍油面を一定範囲にわたって連続的に表示する油量表示部とを備えたカートリッジ式給油タンクに於いて、前記開閉検知手段が前記給油口の開口を検知した時と、前記開閉検知手段が前記給油口の閉口を検知した時と、前記油量検知部が前記給油タンク内に補給された燃油が満量になったことを検知した時とで報知状態を変えて報知する発光報知手段を設けるものとした。
【０００５】
又請求項２では、前記発光報知手段は、前記給油タンクの内部上方で前記油量表示部から目視できる油面を照らせる位置に設けられ、前記給油口開口時には点灯し、前記給油タンク内に補給される燃油が満量になった時には点滅し、前記給油口閉口時には消灯するものとした。
【発明の効果】
【０００６】
この発明の請求項１によれば、発光報知手段は、開閉検知手段が給油口の開口を検知した時と、開閉検知手段が給油口の閉口を検知した時と、油量検知部が給油タンク内に補給された燃油が満量になったことを検知した時とで報知状態を変えて報知するので、どの状態であるのかを容易且つ明確に視認することができるものである。
【０００７】
又、請求項２によれば、薄暗いところで燃油の補給作業をする場合においても、給油口を開口すると発光報知手段が点灯するので油量表示部から油面の高さが見やすくなり、安心して確実に燃油の補給作業を行うことができ、給油タンク内に補給された燃油が満量になった時には、発光報知手段は点灯から点滅に変化し、使用者は給油タンク内に燃油が満量となったことを容易且つ明確に知ることができる。さらに、燃油の補給作業を完了し、給油口を給油キャップにより閉口する時には、発光報知手段は消灯するので、騒音がある場所や高齢者等の耳が聞こえにくい人が燃油の補給作業をする場合でも、確実に給油口が閉口したことを使用者が容易に視認でき、給油タンクを逆転して給油口キャップを下向きにした時に、給油口キャップが外れて燃油をこぼすといった危険性がないものである。
【発明を実施するための最良の形態】
【０００８】
次に、この発明の一実施形態を図面に基づいて説明する。
１は縦長状で石油ファンヒーター等の機器に入出自在に備えられるカートリッジ式の給油タンクであり、この給油タンク１を機器から取り出して天地逆にして立たせた状態では、上面側に給油口２が突出開口しており固定板３によって固定されて備えられている。
【０００９】
４は給油口２を開口及び閉口するための給油口キャップで、内方には機器へのセットで開口される弁装置５及び給油口２と密接するパッキン体６が備えられており、全体としては一端の軸支部７を支点に弾性部材８の反力起伏自在とした基部９に固着されているものである。
【００１０】
１０は固定板３上に備えられた係止ロットで、基部９に備えられたフック金具１１を係止して給油口２を閉口すると共に、外方に突出した操作ボタン１２を引っ張ることでこの係止を解除して、基部９を自動的に起立させて給油口２を開口させるものである。
【００１１】
１３は固定板３に備えられ給油口２の開閉を検知する開閉検知手段としてのスイッチ
で、操作ボタン１２を引っ張り、係止ロット１０とフック金具１１との係止を解除すると、基部９が自動的に起立すると同時に基部９に押圧されていたスイッチ１３の可動部１３ａが上方に可動することにより給油口２が開口したことを検知し、逆に基部９を給油口２を閉口させる方向に押していき係止ロット１０でフック金具１１を係止させると、基部９に押圧されスイッチ１３の可動部１３ａが下方に可動することにより給油口２が閉口したことを検知するものである。
【００１２】
１４は給油タンク１の操作ボタン１２側の側壁に設けられた油量表示部で、透明な合成樹脂板の外周をパッキン（図示せず）で覆って形成した表示窓１５と、該パッキン部分をカバーしたカバー体１６とから構成され、タンク内容量の７５〜９０％の一定範囲を連続的に表示し透明の表示窓１５からそのまま外方から確認可能としたものである。
【００１３】
１７は油量表示部１４と同一壁側に備えられた発光報知部で、発光報知手段としてのＬＥＤ１８と、ＬＥＤ１８の光を透す透明な合成樹脂板で形成された透光カバー１９と、この透光カバー１９の外周を覆ったパッキン２０と、該パッキン２０部分をカバーした発光報知部カバー体２１と、ＬＥＤ１８の端部から発光報知部カバー体２１までの隙間を埋める充填材２２とから構成され、ＬＥＤ１８は給油口２の開口時には点灯し、給油タンク１内に補給される燃油が満量になった時には点滅し、給油口２閉口時には消灯するというように報知状態を変えて報知するので、どの状態であるのかを容易且つ明確に視認することができるものである。
【００１４】
２３は油量表示部１４と同一壁側に備えられた油量検知部で、給油タンク１内側に突出して油量を検知する機構部が設けられ、この油量検知部２３のケーシング２４内には
電子部品等が配置されているものである。
【００１５】
油量を検知する前記機構部について説明すれば、２５は逆Ｌ字型のアームで、一端側をケーシング２４に固定されたアーム軸支部２６に回動自在に取り付けられ、他端側のアーム短片２５ａ先端にフロート２７が設けられ、さらにアーム短片２５ａのフロート２７に対向する側にはマグネット２８が設けられているもので、補給する燃油の油量の増加に伴いフロート２７が上昇し、満量によりマグネット２８がケーシング２４に接するように作動する。
【００１６】
前記ケーシング２４内には、満量状態でのマグネット２８に対向する位置に該マグネット２８の磁力によって閉成するリードスイッチ２９と、マイコンを有した制御部３０と、駆動電源である電池３１とを備えている。
【００１７】
前記制御部３０は、スイッチ１３とリード線３２を介して接続され、ＬＥＤ１８とはリード線３３を介して接続され、リードスイッチ２９とはリード線３４を介して接続されており、給油口２の開閉を検知するスイッチ１３と油量検知部２３のリードスイッチ２９とからの入力を受けてＬＥＤ１８の作動を制御するものである。
【００１８】
次に、この発明の一実施形態の作動について図７のフローチャートに基づき説明する。
給油タンク１内の燃油が空となり燃油の補給が必要となった場合に、給油タンク１を機器から取り出して給油口２が上になるように天地逆にして立たせた状態で置く。そして図７に示すように、まずステップ１（以下、Ｓ１と略す）で、給油口２が開口したかどうかを判断し、給油口２が開口していない場合にはＮＯでＳ１に戻り、給油口２が開口した場合にはＹＥＳでＳ２に進み、Ｓ２で制御部３０はＬＥＤ１８を点灯させる制御を行い、その後Ｓ３に進む。
【００１９】
そして、Ｓ３で給油口２が閉口したかどうか判断し、給油口２が閉口した場合には、ＹＥＳでＳ４に進み、Ｓ４で制御部３０はＬＥＤ１８を消灯させる制御を行い、燃油の補給作業を終了する。一方、Ｓ３で給油口２が閉口していなかった場合には、ＮＯでＳ５に進み、Ｓ５で給油タンク１内が補給された燃油で満量となったかどうか判断する。Ｓ５で給油タンク１内が補給された燃油で満量となった場合には、ＹＥＳでＳ６に進み、Ｓ６で制御部３０はＬＥＤ１８を点灯させる制御から点滅させる制御に変更し、その後Ｓ３へ戻り、Ｓ５で給油タンク１内が補給された燃油で満量となっていない場合には、ＮＯでＳ３へ戻るものである。
【００２０】
次に、実際に燃油を補給する時の動作について具体的に説明する。
給油タンク１内の燃油が空となり燃油の補給が必要となった場合には、給油タンク１を機器から取り出して給油口２が上になるように天地逆にして立たせた状態で置く。そして、まず操作ボタン１２を引っ張り、係止ロット１０とフック金具１１との係止を解除し、基部９が自動的に起立すると同時に基部９に押圧されていたスイッチ１３の可動部１３ａが上方に可動する。この時、スイッチ１３の接点が閉成し、制御部３０は給油口２が開口したことを検知し、ＬＥＤ１８を点灯させる制御を行い、給油口２が開口していることを使用者に報知する。その後、この給油口２にホースポンプ等（図示せず）を挿入して燃油を補給するものである。
【００２１】
燃油の補給を継続し、給油タンク１内の油量が内容量の７５％に達すると、油量表示部１４による油量表示が開始され、すなわち表示窓１５に給油タンク１内の油面がそのまま見えて表示される。この時、前記Ｓ２でＬＥＤ１８が点灯していることにより給油タンク１内の油面は照らし出されているので、薄暗いところで燃油の補給作業をする場合においても、表示窓１５から油面の高さが見やすくなり、現在の給油量を確実に知ることができ、安心して確実に燃油の補給作業を行うことができるものである。
【００２２】
更に補給が進み、給油タンク１の内容量の９０％に当たる表示窓１５の満量の位置まで達したとき、油量検知部２３のフロート２７は上昇してマグネット２８がリードスイッチ２９と対向する。この時、リードスイッチ２９がマグネット２８の磁力によって閉成し、制御部３０は補給された燃油が満量となったことを検知し、制御部３０はＬＥＤ１８を点灯から点滅にする制御を行う。これにより、使用者は給油タンク１内に燃油が満量となったことを容易且つ明確に知ることができ、直ちに燃油の補給を停止し燃油を溢れさせる心配がないものである。
【００２３】
補給された燃油が満量となり補給作業を終了すると、基部９を給油口２を閉口させる方向に押していき、係止ロット１０でフック金具１１を係止させて、給油口キャップ４にて給油口２をワンタッチで閉口させる。この時、基部９を給油口２を閉口させる方向に押していくと、スイッチ１３の可動部１３ａは基部９に押圧され下方に可動する。それによりスイッチ１３の接点が開成し、制御部３０は給油口２が閉口したことを検知し、ＬＥＤ１８を消灯させる制御を行い、給油口２が閉口したことを使用者に報知する。これにより、騒音がある場所や高齢者等の耳が聞こえにくい人が燃油の補給作業を完了した場合でも、確実に給油口２が閉口したことを使用者が容易に視認でき、係止ロット１０とフック金具１１との係止が不十分なことがなく、給油タンク１を逆転して給油口２を下向きにした時に、係止ロット１０とフック金具１１との係止が解除されて燃油をこぼすといった危険性がないものである。
【００２４】
また、給油口２にホースポンプ等（図示せず）を挿入して燃油の補給を開始した後、燃油を溜めておいた燃油タンク（図示せず）が空になる等して、給油タンク１に補給される燃油が満量になる前に補給作業が完了し給油口２を閉口する場合や、給油口２を開口したが燃油を補給せず給油口２を閉口する場合には、制御部３０は給油口２が閉口したことを検知すると、ＬＥＤ１８を点灯状態から消灯状態にするものである。
【００２５】
なお、本発明は上記の一実施形態に限定されるものではなく、本実施形態では給油口２の開閉を検知する手段として、スイッチ１３を給油口２側の固定板３上に取り付けたが、基部９のフック金具１１が備えられた側に取り付けてもよいものである。
【００２６】
また、給油口２の開閉及び燃油の満量を報知する発光報知手段として、ＬＥＤ１８を用いたが、豆電球等を用いてもよいものである。
【００２７】
また、操作ボタン１２を引っ張ることで係止ロット１０とフック金具１１との係止を解除するといったワンタッチで給油口２を開口するカートリッジ式の給油タンク１に本発明を適用したが、図８に示すように、周壁にフランジ部３５を備えた給油口キャップ４を給油口２に着脱自在に螺着するようなカートリッジ式の給油タンク１に本発明を適用してもよく、この場合、図９に示すように、給油口２を閉口する時はフランジ部３５によりスイッチ１３の可動部１３ａが押圧されて給油口２が閉口したことを検知し、制御部３０はＬＥＤ１８を消灯させる制御を行い、逆に給油口２を開口する時にはフランジ部３５に押圧されていたスイッチ１３の可動部１３ａが上方に可動することにより、給油口２が開口したことを検知し、制御部３０はＬＥＤ１８を点灯させる制御を行うものである。なお、給油タンク１内に燃油が満量となった時に制御部３０はＬＥＤ１８を点灯から点滅にする制御を行うことは言うまでもない。
【００２８】
また、本発明は上記した一実施形態及び他の実施形態に限定されるものではなく、本発明の要旨を変更しない範囲で様々な変形が可能であり、これを妨げるものではない。
【図面の簡単な説明】
【００２９】
【図１】この発明の一実施形態の概略構成図。
【図２】同給油口開口状態を示す要部斜視図。
【図３】同発光報知部の縦断面図。
【図４】同油量検知部の縦断面図。
【図５】同給油口開閉時における開閉検知手段の状態を示す説明図。
【図６】同開閉検知手段と油量検知部のリードスイッチと発光報知部の発光報知手段との関係を示す回路図。
【図７】同要部フローチャート。
【図８】この発明の他の実施形態の概略構成図。
【図９】同他の実施形態の給油口開閉時における開閉検知手段の状態を示す説明図。
【符号の説明】
【００３０】
１  給油タンク
２  給油口
４  給油口キャップ
１３  開閉検知手段（スイッチ）
１４  油量表示部
１８  発光報知手段（ＬＥＤ）
２３  油量検知部
【図１】
2008309386.tif 000003
【図２】
2008309386.tif 000004
【図３】
2008309386.tif 000005
【図４】
2008309386.tif 000006
【図５】
2008309386.tif 000007
【図６】
2008309386.tif 000008
【図７】
2008309386.tif 000009
【図８】
2008309386.tif 000010
【図９】
2008309386.tif 000011